(57)【要約】無線通信において、非動作状態に基づいてキャリアの割当を調節することを容易にするシステムおよび方法論が記載される。休止タイマが終了するまで接続を終了させることなく、（非動作タイマの終了後）通信非動作期間においてキャリア割当解除を可能にするために、非動作タイマおよび休止タイマが提供される。非動作タイマが終了すると、接続を介して要求がなされることを可能にしながら、干渉を低減し、リソースを節約するために、通信からキャリアが割当解除されうる。そのような要求がなされると、応答を効率的に送信するために、キャリアが割当解除されうる。これらのタイマは、通信が動作状態にある場合にリセットされる。さらに、これらタイマは、例えば、利用されているプロトコル、接続品質等のような接続の態様に関連する終了時間を有しうる。
2010541502.tif 000002
【特許請求の範囲】
【請求項１】
無線通信ネットワークにおいてマルチ・キャリア・リソースを割り当てる方法であって、
モバイル・デバイスとの接続へ複数のキャリアを割り当てて、前記モバイル・デバイスとの通信を容易にすることと、
少なくとも部分的に非動作タイマに基づいて、前記モバイル・デバイスとの接続を、割り当てられた単一のキャリアへと低減することと
を備える方法。
【請求項２】
少なくとも部分的に休止タイマに基づいて、前記モバイル・デバイスとの接続を終了させることをさらに備える請求項１に記載の方法。
【請求項３】
前記非動作タイマは、少なくとも部分的に、前記モバイル・デバイスとの接続のタイプに基づいて、前記休止タイマよりも短い時間に設定される請求項２に記載の方法。
【請求項４】
データを求める要求を、前記割り当てられた単一のキャリアを介して受信することをさらに備える請求項１に記載の方法。
【請求項５】
少なくとも部分的に、前記データを求める要求に基づいて、１または複数の追加のキャリアを、前記接続へ割り当てることをさらに備える請求項４に記載の方法。
【請求項６】
前記データを求める要求は、ハイパテキスト転送プロトコル（ＨＴＴＰ）要求またはファイル転送プロトコル（ＦＴＰ）要求である請求項５に記載の方法。
【請求項７】
前記１または複数の追加のキャリアを割り当てた後に、前記データを求める要求に対する応答が受信される請求項５に記載の方法。
【請求項８】
前記応答を前記接続を介して前記モバイル・デバイスへ送信することをさらに備える請求項７に記載の方法。
【請求項９】
前記複数のキャリアが、イボリューション・データ・オプティマイズド（ＥＶ−ＤＯ）ネットワークにおける接続へ割り当てられる請求項５に記載の方法。
【請求項１０】
無線通信装置において、
モバイル・デバイスとの接続へ複数のキャリアを割り当てて、前記モバイル・デバイスとの通信を容易にし、前記接続に関連する非動作タイマの終了を判定し、少なくとも部分的に、前記非動作タイマの終了に基づいて、前記接続を、割り当てられた単一のキャリアへと低減するように構成された少なくとも１つのプロセッサと、
前記少なくとも１つのプロセッサに接続されたメモリと
を備える無線通信装置。
【請求項１１】
無線通信において利用されるキャリアの数を調節することを容易にする無線通信装置であって、
モバイル・デバイスとの接続へ複数のキャリアを割り当てて、前記モバイル・デバイスとの通信を容易にする手段と、
少なくとも部分的に非動作タイマに基づいて、前記複数のキャリアの一部を割当解除して、最小数のキャリアにする手段と
を備える無線通信装置。
【請求項１２】
コンピュータ・プログラム製品であって、
少なくとも１つのコンピュータに対して、モバイル・デバイスとの接続へ複数のキャリアを割り当てさせ、前記モバイル・デバイスとの通信を容易にするためのコードと、
前記少なくとも１つのコンピュータに対して、少なくとも部分的に非動作タイマに基づいて、前記モバイル・デバイスとの接続を、割り当てられた単一のキャリアへ低減させるためのコードと
を備えるコンピュータ読取可能媒体を備えるコンピュータ・プログラム製品。
【請求項１３】
モバイル・デバイスとの間に確立された接続のために複数の周波数キャリアを割り当てるキャリア・アロケータと、
前記割り当てられた複数の周波数キャリアを介して、前記モバイル・デバイスとの通信を容易にするトランシーバと、
少なくとも部分的に非動作タイマの終了に基づいて、前記割り当てられた周波数キャリアのうちの１または複数を、前記接続から割当解除するキャリア・デアロケータと
を備える装置。
【請求項１４】
前記キャリア・デアロケータは、前記割り当てられた残りの周波数キャリアを、少なくとも部分的に休止タイマの終了に基づいて、前記モバイル・デバイスとの接続を終了させるために割当解除する請求項１３に記載の装置。
【請求項１５】
前記非動作タイマは、少なくとも部分的に、前記モバイル・デバイスとの接続のタイプに基づいて、前記休止タイマよりも短い時間に設定される請求項１４に記載の装置。
【請求項１６】
前記トランシーバは、データを求める要求を、前記割り当てられた単一のキャリアを介して受信する請求項１３に記載の装置。
【請求項１７】
前記キャリア・アロケータは、少なくとも部分的に、前記データを求める要求に基づいて、１または複数の追加のキャリアを、前記接続へ割り当てる請求項１６に記載の装置。
【請求項１８】
前記データを求める要求は、ハイパテキスト転送プロトコル（ＨＴＴＰ）要求またはファイル転送プロトコル（ＦＴＰ）要求である請求項１７に記載の装置。
【請求項１９】
前記キャリア・アロケータによって前記１または複数の追加のキャリアを割り当てた後に、前記データを求める要求に対する応答を受信する応答受信機をさらに備える請求項１７に記載の装置。
【請求項２０】
前記トランシーバは、前記応答を前記接続を介して前記モバイル・デバイスへ送信する請求項１９に記載の装置。
【請求項２１】
無線通信ネットワークにおいてマルチ・キャリア・リソースを割り当てる方法であって、
アクセス・ポイントとの接続が確立されると、割り当てられた複数のキャリアを受信し、前記アクセス・ポイントとの通信を容易にすることと、
少なくとも部分的に、非動作タイマの終了に基づいて、前記割り当てられた複数のキャリアのうちの１または複数を破棄し、最小数のキャリアを残すことと
を備える方法。
【請求項２２】
少なくとも部分的に、休止タイマの終了に基づいて、前記アクセス・ポイントとの接続を終了させることをさらに備える請求項２１に記載の方法。
【請求項２３】
前記非動作タイマは、少なくとも部分的に、前記アクセス・ポイントとの接続において利用されるプロトコルに基づいて、前記休止タイマよりも短い時間に設定される請求項２２に記載の方法。
【請求項２４】
データを求める要求を、前記最小数のキャリアを介して送信することをさらに備える請求項２１に記載の方法。
【請求項２５】
少なくとも部分的に、前記送信された要求に基づいて、前記アクセス・ポイントからの１または複数の追加のキャリアの割り当てを要求することをさらに備える請求項２４に記載の方法。
【請求項２６】
前記データを求める要求は、ハイパテキスト転送プロトコル（ＨＴＴＰ）要求またはファイル転送プロトコル（ＦＴＰ）要求である請求項２５に記載の方法。
【請求項２７】
前記要求された追加のキャリアを前記アクセス・ポイントから受信することをさらに備える請求項２５に記載の方法。
【請求項２８】
前記要求に対する応答を、前記追加のキャリアを介して前記アクセス・ポイントから受信することをさらに備える請求項２７に記載の方法。
【請求項２９】
前記キャリアは、イボリューション・データ・オプティマイズド（ＥＶ−ＤＯ）ネットワークにおける接続へ割り当てられる請求項２１に記載の方法。
【請求項３０】
無線通信装置であって、
アクセス・ポイントとの接続のために割り当てられた複数のキャリアを受信し、前記アクセス・ポイントとの通信を容易にし、前記接続に関連する非動作タイマの終了を判定し、少なくとも部分的に、前記非動作タイマの終了に基づいて、前記割り当てられた複数のキャリアのうちの１または複数を破棄し、割り当てられた単一のキャリアを残すように構成された少なくとも１つのプロセッサと、
前記少なくとも１つのプロセッサに接続されたメモリと
を備える無線通信装置。
【請求項３１】
無線通信において利用されるキャリアの数を調節することを容易にする無線通信装置であって、
アクセス・ポイントとの接続のために割り当てられた複数のキャリアを受信して、前記アクセス・ポイントとの通信を容易にする手段と、
少なくとも部分的に、非動作タイマの終了に基づいて、前記複数のキャリアのうちの一部を割当解除して、最小数のキャリアにする手段と
を備える無線通信装置。
【請求項３２】
アクセス・ポイントとの接続を確立すると、少なくとも１つのコンピュータに対して、割り当てられた複数のキャリアを受信させ、前記アクセス・ポイントとの通信を容易にするためのコードと、
前記少なくとも１つのコンピュータに対して、少なくとも部分的に、非動作タイマの終了に基づいて、前記割り当てられた複数のキャリアのうちの１または複数を破棄させ、最小数のキャリアを残すためのコードと
を備えるコンピュータ読取可能媒体を備えるコンピュータ・プログラム製品。
【請求項３３】
アクセス・ポイントへの接続のために要求された複数のキャリアを受信するキャリア・リクエスタと、
通信非動作期間を検出するために利用される非動作タイマと、
少なくとも部分的に、前記非動作タイマの終了に基づいて、割り当てられた複数のキャリアのうちの１または複数を破棄して、データを要求するための最小数のキャリアを残すキャリア・ドロッパと
を備える装置。
【請求項３４】
前記キャリア・ドロッパは、少なくとも部分的に、休止タイマの終了に基づいて、前記アクセス・ポイントとの接続を終了させるために、割り当てられた残りのキャリアを破棄する請求項３３に記載の装置。
【請求項３５】
前記非動作タイマは、少なくとも部分的に、前記アクセス・ポイントとの通信の際に利用されるプロトコルに基づいて、前記休止タイマよりも短い時間に設定される請求項３４に記載の装置。
【請求項３６】
前記最小数のキャリアを介してデータを要求する請求項３３に記載の装置。
【請求項３７】
前記キャリア・リクエスタは、少なくとも部分的に、前記要求に基づいて、前記アクセス・ポイントからの１または複数の追加のキャリアを要求する請求項３６に記載の装置。
【請求項３８】
前記要求は、ハイパテキスト転送プロトコル（ＨＴＴＰ）要求またはファイル転送プロトコル（ＦＴＰ）要求として送信される請求項３７に記載の装置。
【請求項３９】
前記キャリア・リクエスタは、前記アクセス・ポイントから１または複数の追加のキャリアを受信する請求項３７に記載の装置。
【請求項４０】
前記１または複数の追加のキャリアを介して、前記要求に対する応答を受信する請求項３９に記載の装置。
【発明の詳細な説明】
【関連出願に対する相互参照】
【０００１】
本願は、２００７年１０月５日に出願され"INACTIVITY-BASED MULTI-CARRIER ALLOCATION METHOD AND APPARATUS"と題された仮特許出願６０／９７８，０１７に対する優先権を主張する。上記出願は、本願の譲受人に譲渡され、本明細書において参照によって明確に組み込まれる。
【技術分野】
【０００２】
以下の説明は、一般に、無線通信に関し、さらに詳しくは、無線通信ネットワークにおいて、非動作に基づいてマルチ・キャリア割当を調節することに関する。
【背景技術】
【０００３】
無線通信システムは、例えば音声、データ等のようなさまざまなタイプの通信コンテンツを提供するために広く開発された。一般的な無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、超モバイル・ブロードバンド（ＵＭＢ）、および／または、例えば、イボリューション・データ・オプティマイズド（ＥＶ−ＤＯ）、その１または複数の改良等のようなマルチ・キャリア無線仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
ＭＩＭＯシステムは一般に、データ送信のために、複数（ＮＴ個）の送信アンテナと、複数（ＮＲ個）の受信アンテナとを使用する。これらアンテナは、一例として、基地局とモバイル・デバイスとの両方に関連しており、無線ネットワーク上のデバイス間の双方向通信を可能とする。マルチ・キャリア・システムでは、複数のアンテナのうちの１または複数を介した通信のために、複数のキャリアが割り当てられ、同時通信が容易とされる。これは本質的に、複数のキャリアを用いたデバイス間の通信スループットを増加させる。基地局は、通信を確立したモバイル・デバイスへ、複数のキャリアを割り当てることができる。
【発明の概要】
【０００６】
以下は、１または複数の実施形態の基本的な理解を提供するために、そのような実施形態の簡略化された概要を示す。この概要は、考えられる全ての実施形態の広範な概観ではなく、これら全ての実施形態の重要要素や決定的要素を特定することでも、任意または全ての実施形態を線引きすることでもないことが意図される。その唯一の目的は、１または複数の実施形態の幾つかの概念を、後に示されるより詳細な説明の前置きとして簡単な形式で示すことである。
【０００７】
１または複数の実施形態および対応する開示にしたがって、さまざまな態様が、少なくとも部分的に動作レベルまたは非動作レベルに基づいて、無線通信における複数のキャリアの割り当てを調節することを容易にすることに関連して記載される。一例によれば、アクセス・ポイントは、アクセス・ポイントと通信しているモバイル・デバイスによる使用のために、多くのキャリアを割り当てる。通信のために利用されるプロトコル、および／または、通信の１または複数の予期された挙動または決定された挙動に依存して、アクセス・ポイントは、例えば、それぞれのデバイスの電力の節約を可能にするためのみならず、アクセス・ポイントを用いる他のデバイスへのキャリアの再割当を可能にするために、キャリア割当を調節することができる。一例において、アクセス・ポイントは、キャリアの割当を調節するために、複数のタイマを利用しうる。例えば、非動作期間後にデバイスへ割り当てられるキャリアの数を低減する非動作タイマが利用されるのみならず、休止期間後にデバイスとの接続を終了させる休止タイマが利用されうる。キャリアの数が低減された後であるが、接続終了前に動作状態となると、追加のキャリアがデバイスへ割り当てられ、タイマがリセットする。これらタイマは、アクセス・ポイントに加えて、あるいはアクセス・ポイントの代わりに、モバイル・デバイス内に存在しうることが認識されるべきである。
【０００８】
関連する態様によれば、無線通信ネットワークにおいて複数のキャリア・リソースを割り当てる方法が提供される。この方法は、複数のキャリアを、モバイル・デバイスとの接続に割り当て、モバイル・デバイスとの通信を容易にすることを含む。この方法はさらに、少なくとも部分的に非動作タイマに基づいて、モバイル・デバイスとの接続を、割り当てられた単一のキャリアへ低減することを含む。
【０００９】
別の態様は、無線通信装置に関する。無線通信装置は、複数のキャリアをモバイル・デバイスとの接続に割り当てて、モバイル・デバイスとの通信を容易にし、この接続に関連する非動作タイマの終了を判定するように構成された少なくとも１つのプロセッサを含みうる。さらにこのプロセッサは、この接続を、少なくとも部分的に、非動作タイマの終了に基づいて、割り当てられた単一のキャリアへ低減するように構成される。無線通信装置はさらに、少なくとも１つのプロセッサに接続されたメモリを備える。
【００１０】
また、別の態様は、無線通信において利用されるキャリアの数を調節することを容易にする無線通信装置に関する。この無線通信装置は、複数のキャリアを、モバイル・デバイスとの接続へ割り当てて、モバイル・デバイスとの通信を容易にする手段を備えうる。この無線通信装置はさらに、複数のキャリアのうちの一部を、少なくとも部分的に非動作タイマの終了に基づいて割当解除して、最小数のキャリアにする手段を含む。
【００１１】
また別の態様は、コンピュータ・プログラム製品に関する。このコンピュータ・プログラム製品は、少なくとも１つのコンピュータに対して、複数のキャリアを、モバイル・デバイスとの接続に割り当てさせ、モバイル・デバイスとの通信を容易にするためのコードを含むコンピュータ読取可能媒体を有しうる。このコンピュータ読取可能媒体はさらに、少なくとも１つのコンピュータに対して、少なくとも部分的に非動作タイマに基づいて、モバイル・デバイスとの接続を、割り当てられた単一のキャリアへ低減させるためのコードを備えうる。
【００１２】
別の態様は装置に関する。この装置は、モバイル・デバイスと確立された接続のために、複数のキャリアを割り当てるキャリア・アロケータと、割り当てられた複数の周波数キャリアによるモバイル・デバイスとの通信を容易にするトランシーバとを備える。この装置はさらに、割り当てられた周波数キャリアのうちの１または複数を、少なくとも部分的に非動作タイマの終了に基づいて、接続から割当解除するキャリア・デアロケータを備える。
【００１３】
さらなる態様によれば、無線通信ネットワークにおいてマルチ・キャリア・リソースを割り当てる方法が提供される。この方法は、アクセス・ポイントとの接続を確立すると、割り当てられた複数のキャリアを受信して、アクセス・ポイントとの通信を容易にすることを含む。この方法はさらに、割り当てられた複数のキャリアのうちの１または複数を破棄し、少なくとも部分的に非動作タイマの終了に基づいて、最小数のキャリアを残すことを含む。
【００１４】
別の態様は、無線通信装置に関する。この無線通信装置は、アクセス・ポイントとの接続のために割り当てられた複数のキャリアを受信して、アクセス・ポイントとの通信を容易にし、かつ、この接続に関連する非動作タイマの終了を判定するように構成された少なくとも１つのプロセッサを含みうる。このプロセッサはさらに、割り当てられた複数のキャリアのうちの１または複数を破棄し、少なくとも部分的に非動作タイマの終了に基づいて、割り当てられた単一のキャリアを残すように構成される。この無線通信装置はさらに、この少なくとも１つのプロセッサに接続されたメモリを備える。
【００１５】
さらに別の態様は、無線通信において利用されるキャリアの数を調節することを容易にする無線通信装置に関する。この無線通信装置は、アクセス・ポイントとの接続のために、割り当てられた複数のキャリアを受信して、アクセス・ポイントとの通信を容易にする手段を備えうる。この無線通信装置はさらに、複数のキャリアのうちの一部を、少なくとも部分的に非動作タイマの終了に基づいて割当解除し、最小数のキャリアにする手段を含みうる。
【００１６】
また別の態様は、コンピュータ・プログラム製品に関する。このコンピュータ・プログラム製品は、アクセス・ポイントとの接続を確立すると、少なくとも１つのコンピュータに対して、割り当てられた複数のキャリアを受信させ、アクセス・ポイントとの通信を容易にするためのコードを含むコンピュータ読取可能媒体を有しうる。このコンピュータ読取可能媒体はまた、少なくとも１つのコンピュータに対して、割り当てられた複数のキャリアのうちの１または複数を破棄させ、少なくとも部分的に非動作タイマの終了に基づいて、最小数のキャリアを残すためのコードを備えうる。
【００１７】
別の態様は装置に関する。この装置は、アクセス・ポイントへの接続のために要求された複数のキャリアを受信するキャリア・リクエスタと、通信非動作期間を検出するために利用される非動作タイマとを備える。この装置はさらに、割り当てられた周波数キャリアのうちの１または複数の破棄し、少なくとも部分的に非動作タイマの終了に基づいて、データを要求するための最小数のキャリアを残すキャリア・ドロッパを備える。
【００１８】
前述した目的および関連する目的を達成するために、１または複数の実施形態は、後に十分に記載され特に特許請求の範囲において指摘される特徴を備えている。以下の記載および添付図面は、１または複数の実施形態のうちのある例示的な態様を詳細に述べている。しかしながら、これらの態様は、さまざまな実施形態の原理が適用されるさまざまな方法のうちのほんの僅かを示すに過ぎず、記載された実施形態は、そのような態様およびその等価物の全てを含むことが意図される。
【図面の簡単な説明】
【００１９】
【図１】図１は、本明細書に記載されたさまざまな態様にしたがう無線通信システムの例示である。
【図２】図２は、無線通信環境内で適用される通信装置の例の例示である。
【図３】図３は、通信非動作に基づいてキャリア割当を調節することを有効にする無線通信システムの例の例示である。
【図４】図４は、通信非動作および通信動作に基づいて、キャリアの要求および破棄を容易にする方法論の例の例示である。
【図５】図５は、通信非動作および通信動作に基づいてキャリア割当を調節することを容易にする方法論の例の例示である。
【図６】図６は、通信休止に基づいて接続を終了することを容易にする方法論の例の例示である。
【図７】図７は、通信非動作に基づいてキャリアの破棄および要求を容易にするモバイル・デバイスの例の例示である。
【図８】図８は、通信非動作に基づいてキャリア割当を調節することを容易にするシステムの例の例示である。
【図９】図９は、本明細書に記載されたさまざまなシステムおよび方法と共に適用されうる無線ネットワーク環境の例の例示である。
【図１０】図１０は、通信非動作に基づいてキャリアの割当および割当解除を行うシステムの例の例示である。
【図１１】図１１は、通信非動作に基づいてキャリアを破棄システムの例の例示である。
【発明を実施するための形態】
【００２０】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明からである。他の事例では、１または複数の実施形態の記載を容易にするために、周知の構成およびデバイスがブロック図形式で示される。
【００２１】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２２】
さらに、本明細書ではさまざまな態様が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して記載される。基地局は、モバイル・デバイスと通信するために利用することができ、アクセス・ポイント、ノードＢ、イボルブド・ノードＢ（ｅノードＢあるいはｅＮＢ）、基地トランシーバ局（ＢＴＳ）、あるいは他のいくつかの用語によって称されうる。
【００２３】
さらに、本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、デジタル・バーサタイル・ディスク（ＤＶＤ）等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２４】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムに使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。ＣＤＭＡ２０００およびＵＭＢは、「第３世代パートナシップ計画２」（３ＧＰＰ２）からの文書に記載されている。本明細書に記載された技術はまた、例えば１ｘＥＶ−ＤＯ改訂Ｂまたはその他の改訂等のようなイボリューション・データ・オプティマイズド（ＥＶ−ＤＯ）規格群でも適用されうる。さらに、そのような無線通信システムはそれに加えて、ペアを持たない無許可のスペクトル、８０２．ｘｘ無線ＬＡＮ、ブルートゥース（登録商標）、および、その他任意の短距離または長距離の無線通信技術を用いたピア・トゥ・ピア（例えば、モバイル・トゥ・モバイル）アド・ホック・ネットワーク・システムを含むことができる。
【００２５】
さまざまな態様または特徴が、多くのデバイス、構成要素、モジュール等を含むシステムの観点から示されるだろう。さまざまなシステムが、さらなるデバイス、構成要素、およびモジュール等を含むことができ、および／または、図面と関連して説明されたデバイス、構成要素、およびモジュール等の必ずしもすべてを含まなくてよいことが理解および認識されるべきである。これらのアプローチの組み合わせもまた使用されうる。
【００２６】
図１に示すように、無線通信システム１００が、本明細書に示されたさまざまな実施形態にしたがって例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナが例示されているが、おのおののグループについて、それよりも多いあるいはそれよりも少ないアンテナが適用されうる。基地局１０２はさらに、送信機チェーンおよび受信機チェーンを含みうる。それらおのおのは、当業者によって理解されるように、信号の送信および受信に関連付けられた複数の構成要素（例えば、プロセッサ、変調器、マルチプレクサ、復調器、デマルチプレクサ、アンテナ等）を備えうる。
【００２７】
基地局１０２は、例えばモバイル・デバイス１１６およびモバイル・デバイス１２２のような１または複数のアクセス端末と通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は、例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２８】
通信するように指定された領域および／またはアンテナのおのおののグループは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を向上するためにビームフォーミングを適用することができる。また、基地局１０２は、関連する有効通信範囲内にランダムに分布しているモバイル・デバイス１１６、１２２へ送信するために、ビームフォーミングを利用している間、近隣セル内のモバイル・デバイスは、すべてのモバイル・デバイスに対して単一のアンテナで送信する基地局に比べて、少ない干渉しか被らない。さらに、モバイル・デバイス１１６、１２２は、図示するようなピア・トゥ・ピアまたはアド・ホック技術を用いて互いにダイレクトに通信しうる。
【００２９】
一例によれば、システム１００は、複数入力複数出力（ＭＩＭＯ）通信システムになりえる。さらに、システム１００は、（例えば、順方向リンク、逆方向リンクのような）通信チャネルを分割するために、例えばＦＤＤ、ＴＤＤ等のような実質的に任意のタイプのデュプレクス技術を利用しうる。一例において、基地局１０２および／またはモバイル・デバイス１１６／１２２は、統合することもしないことも可能な広帯域マルチ・キャリア・トランシーバ（例えば、レーキ受信機）を適用することによって、互いに、および／または、さらなるモバイル・デバイス／基地局からの情報を受信しうる。例えば、広帯域マルチ・キャリア・トランシーバ（図示せず）は、複数のキャリアを介して個別の周波数からの信号を同時に受信する複数の受信機を備えうる。本コンテキストにおいて、キャリアは、周波数キャリア、あるいは、ＯＦＤＭトーンのようなその他のタイプの帯域幅部分、あるいは、サブフレーム等においてスケジュール可能な多くのサブキャリアにおける多くのスロットのようなその他の最小数の割当可能なユニットを称しうる。したがって、基地局１０２および／またはモバイル・デバイス１１６／１２２は、所与の期間にわたって複数の信号を受信し復調しうるので、基地局１０２および／またはモバイル・デバイス１１６／１２２によって、スループットが高められる。さらに、本明細書で説明するように、基地局１０２は、基地局１０２および／またはモバイル・デバイス１１６／１２２においてなされた判定に少なくとも部分的に基づいて、データを受信するためのキャリアを動的に割り当てうる。
【００３０】
一例によれば、モバイル・デバイス１１６および／またはモバイル・デバイス１２２は、基地局１０２との通信を確立し、モバイル・デバイス１１６および／またはモバイル・デバイス１２２のための多くの割り当て可能なキャリアを受信する。一例において、接続確立およびキャリア割当がなされると、基地局１０２は、非動作タイマおよび休止タイマを起動し、それぞれのタイマの終了に基づいて、キャリア割り当ての低減および／または接続の終了をいつ行うかを示すことが可能となる。例えば、非動作タイマが起動され、逆方向リンク１２０および／または１２６、および／または、順方向リンク１１８および／または１２４による非動作（例えば、要求またはその他のデータを受信しないこと）によって終了すると、基地局１０２は、電力消費およびリソースの節約、干渉の低減、および、必要であれば別のデバイスへのキャリアの割り当てのために、モバイル・デバイス１１６および／または１２２から多くのサブキャリアを割当解除しうる。しかしながら、例えばデータを受信する要求のような後続するデータを逆方向リンク１２０および／または１２６を介して受信することを容易にするために、少なくとも１つまたは最小数のキャリアが、モバイル・デバイス１１６および／または１２２へ割り当てられ続ける。そのような要求あるいはその他のデータが、逆方向リンク１２０および／または１２６で、および／または、順方向リンク１１８および／または１２４で受信される場合、モバイル・デバイス１１６および／または１２２それぞれのための非動作タイマおよび休止タイマがリセットされうる。
【００３１】
しかしながら、休止タイマが終了する前に、逆方向リンク１２０および／または１２６、あるいは順方向リンク１１８および／または１２４によって、要求またはその他のデータが受信されない場合、接続が終了しうる。一例において、これは、非動作タイマの終了によって残ったキャリアを割当解除することを含みうる。モバイル・デバイス１１６および／または１２２が、接続終了後にさらなるデータを要求する場合、接続を再確立しなくてはならない。これは、非動作タイマの終了後に割り当てられる最小数のキャリアを維持するよりも多くのリソースを必要としうる。したがって、逆方向リンク１２０および／または１２６によって要求またはその他のデータを受信すると、キャリアの最小数を増やしながら、休止期間ではなく非動作期間においてモバイル・デバイス１１６／１２２へ最小数のキャリアが割り当てられることを可能にすることによって、より効率的なキャリアの利用が実現される。さらに、そのようなキャリア調節によって、他のデバイスとの通信に悪影響を及ぼしうる複数のキャリアによって引き起こされる干渉を低減する。本明細書に記載されるように、これらタイマは、基地局１０２内に、および／または、モバイル・デバイス１１６／１２２内に実装されうることが認識されるべきである。さらに、本明細書に記載されているように、タイマが存在すること、および／または、タイマのための初期パラメータは、少なくとも部分的に、モバイル・デバイス１１６／１２２からの要求、それらのプロトコル、および／または、モバイル・デバイス１１６／１２２および／または基地局１０２の両方における例えば利用可能なリソース、動作レベル、要求数等のような多くの考慮に基づきうる。
【００３２】
図２に移って、無線通信環境内において適用される通信装置２００が例示される。この通信装置２００は、基地局またはその一部、モバイル・デバイスまたはその一部、あるいは、無線通信環境において送信されたデータを受信する実質的に任意の通信装置でありうる。通信装置２００は、通信装置２００において通信非動作期間中に動作する非動作タイマ２０２と、通信休止状態であることを示すために、通信装置２００における通信非動作期間中も動作し、非動作タイマよりも長い期間設定される休止タイマ２０４と、少なくとも部分的に、非動作タイマ２０２および／または休止タイマ２０４の終了に基づいて、１または複数のキャリアを破棄するキャリア・ドロッパ２０６と、少なくとも部分的に、通信装置２００における通信動作状態に基づいて１または複数のキャリアを要求するキャリア・リクエスタ２０８とを含みうる。通信非動作状態および通信休止状態は、通信装置２００から発信される通信を、ある期間の間停止させることに関連しうる。同様に、通信動作状態は、通信装置２００による要求の送信および／またはデータの受信のための連続した期間に関連しうる。
【００３３】
一例によれば、通信装置２００は、例えばアクセス・ポイントまたは基地局（図示せず）のような１または複数の無線デバイスとの通信を確立しうる。通信装置２００は、通信確立時に、多くのサブキャリアが割り当てられ、これらキャリアを介して通信しうる。例えば、順方向リンクまたは逆方向リンクでの通信が終了すると、非動作タイマ２０２および休止タイマ２０４が起動する。非動作タイマ２０２は、ある期間設定され、その後は、非動作状態であると考えられる。同様に、休止タイマ２０４は、ある期間設定され、その後は、休止状態であると考えられる。そして、通信装置２００との接続が終了される。前述したように、通信装置２００への順方向リンクまたは逆方向リンクによる通信動作状態が再開すると、これらタイマ２０２、２０４はリセットされうる。タイマ２０２、２０４は、動作期間中連続的にリセットされ、動作がもはや生じない場合に動作を開始する。
【００３４】
一例として、記載するように、通信装置２００は、後の通信のために複数のキャリア割当を受信しうる。記載したように通信非動作によって非動作タイマ２０２が終了すると、キャリア・ドロッパ２０６が、割り当てられたキャリアの１または複数を、最小数のキャリアとなるまで破棄する。キャリアの最小数とは、指定されたプロトコルによる有効な通信のために必要とされる数である。例えば、ハイパテキスト転送プロトコル（ＨＴＴＰ）を用いた場合、ウエブ・ページまたはその他のデータを求めるための要求は、一般に、応答（例えば、ウエブ・ページまたはその他のコンテンツ）よりも小さなサイズである。したがって、恐らく単一のキャリアであっても、この要求を取り扱うことができるので、キャリア・ドロッパ２０６は、アクセス・ポイントとの開かれた通信線を維持するために、単一のキャリア以外の全てのキャリアを破棄しうる。休止タイマ２０４が終了する前に要求が生成されるか、および／または、送信がなされた場合、キャリア・リクエスタ２０８は、応答メッセージを取り扱うために、追加のキャリアを要求しうる。追加のキャリアの数も同様に、例えば、上述したＨＴＴＰのような指定されたプロトコルによる有効な通信のために必要とされるものに基づきうる。さらに、非動作タイマ２０２および休止タイマ２０４は、これら要求を受信すると、リセットされうる。
【００３５】
しかしながら、休止タイマ２０４が動作前に終了すると、キャリア・ドロッパ２０６は、残りの最小数のキャリアを破棄して、接続を終了させる。この点に関し、装置２００は、再確立のためにリソースを必要としうる常時接続終了ではなく、不要な場合にキャリアを割当解除することによって、リソースを節約することができる。図示するように、非動作タイマ２０２および休止タイマ２０４を有することによって、この目標を達成する。例えば、非動作期間においてキャリアを次第に割当解除するタイマをおのおののキャリアに対して割り当てるように、より多くのレベルのキャリア調節を提供するために、その他のタイマも実装されうることが認識されるべきである。さらに、タイマの持続時間は、少なくとも部分的に、通信プロトコル、利用可能なリソース、動作レベル、要求の数等に基づいて設定されうる。例えば、通信装置２００が、キューされた複数の要求および／または高い動作レベルを有する場合、キャリア・リクエスタ２０８は、単一の要求に対してよりも多くの追加キャリアを要求しうる。さらに、キャリア・リクエスタ２０８によって要求されるキャリアの数は、追加キャリアを利用する通信装置２００において利用可能なリソースについて調整されうる。
【００３６】
図３に示すように、無線通信ネットワークにおいてマルチ・キャリア・リソースを割り当てることを容易にする無線通信システム３００が例示される。おのおのの無線デバイス３０２、３０４は、基地局、（独立して電源が供給されるデバイスのみならず、例えばモデムをも含む）モバイル・デバイス、あるいはそれらの一部でありうる。一例において、無線デバイス３０２は、逆方向リンクすなわちアップリンク・チャネルによって無線デバイス３０４へ情報を送信する。さらに無線デバイス３０２はそれとは逆に、順方向リンクすなわちダウンリンク・チャネルによって無線デバイス３０４から情報を受信する。さらに、システム３００は、ＭＩＭＯシステム（例えば、イボリューション・データ・オプティマイズド（ＥＶ−ＤＯ）等）でありうる。また、無線デバイス３０２、３０４は、複数のキャリアを介して互いに同時に通信しうる。さらに、無線デバイス３０２において示され、以下に説明される構成要素および機能は、それとは逆に、無線デバイス３０４においても存在しうるが、図示する構成は、説明を容易にするために、これらの構成要素を除外している。
【００３７】
無線デバイス３０２は、１または複数の周波数キャリアによって無線ネットワーク内の１または複数のアクセス・ポイントおよび／または無線デバイス３０４と通信するためのトランシーバ３０６と、トランシーバ３０６を用いて無線デバイス３０４へ送信されうるデータを求める要求を定式化するデータ・リクエスタ３０８とを含む。一例において、データを求める要求は、ＨＴＴＰ、ファイル転送プロトコル（ＦＴＰ）要求、および／または、実質的に任意のタイプの要求を含み、ここでは、この要求に対する応答を有効に受信するために利用されうる高い帯域幅と比べ、低い帯域幅が、要求を行うために必要とされる。
【００３８】
無線デバイス３０４は、無線デバイス３０２と通信するためのトランシーバ３１０と、無線通信を容易にするために無線デバイス３０２にキャリアを割り当てるキャリア・アロケータ３１２と、上述したように無線デバイス３０２の通信非動作期間および通信休止期間をそれぞれ決定するために設定されうる非動作タイマ３１４および休止タイマ３１６と、無線デバイス３０２通信からの１または複数のキャリアを割当解除するキャリア・デアロケータ３１８と、データ・リクエスタ３０８を介して無線デバイス３０２によってなされる要求に関連するデータを取得する応答受信機３２０とを含む。一例において、要求は、ＨＴＴＰデータまたはＦＴＰデータを受信することに関連しうる。この要求を受信すると、無線デバイス３０４は、例えば要求の転送および／または要求されたデータの位置決めのような追加処理を実行し、応答受信機３２０は、この要求を受信するために、他のネットワークまたはデバイス（図示せず）との接続を開くことができる。
【００３９】
例によれば、無線デバイス３０２は、トランシーバ３０６を用いて無線デバイス３０４との通信を確立しうる。接続を確立すると、キャリア・アロケータ３１２は、１または複数のキャリアを、無線デバイス３０２との接続へ割り当てる。本明細書で説明したように、データ・リクエスタ３０８は、１または複数あるいは追加のキャリアを介して、無線デバイス３０４からのデータを要求し、データを受信しうる。例えば、無線デバイス３０２が、なされた要求のために、しきい数よりも少ないキャリアを用いて無線デバイス３０４との通信を行っている場合、キャリア・アロケータ３１２は、この要求を受信すると、この要求に対する応答を取り扱うために、無線デバイス３０２へ更なるキャリアを割り当てうる。例えば、ＨＴＴＰデータおよび／またはＦＴＰデータの要求時、最初の要求は、これらデータに対する応答と比較して小さなサイズでありうる（例えば、応答がウエブ・ページまたはファイル全体である一方、要求は、単なるユニバーサル・リソース・ロケータ（ＵＲＬ）でありうる）。したがって、無線デバイス３０４が要求を受信し、応答を効果的に取り扱うために、しきい数のキャリアが無線デバイス３０２に割り当てられていないと判定した場合、キャリア・アロケータ３１２は、応答受信機３２０が応答を受信する前に、適切な量のキャリアを割り当てうる。応答受信機３２０が応答を受信すると、この応答は、割り当てられたキャリアを介して、例えばトランシーバ３１０を用いて無線デバイス３０２へ転送されうる。
【００４０】
一例において、特に、無線デバイス３０２がある期間の間、通信非動作状態である場合、応答を受信するために必要なキャリアの数が常に無線デバイス３０２へ割り当てられる必要なない。しかしながら、無線デバイス３０２、３０４間の接続を終了させることは、たとえ、無線デバイス３０２がある期間、通信非動作状態である場合であっても、常に好ましい訳ではない。したがって、非動作タイマ３１４および休止タイマ３１６によって、前述した目的が確実に達成されるようになる。この点に関し、非動作タイマ３１４は、無線デバイス３０２が無線デバイス３０４といつ通信動作していないかを判定し、休止タイマ３１６は、無線デバイス３０２と無線デバイス３０４との間の接続が終了されるべき休止状態となる、より長い通信非動作期間を判定しうる。非動作タイマ３１４および休止タイマ３１６は、ハードコード値、ネットワーク仕様等によって設定されうることが認識されるべきである。さらに、この値は、通信するために利用されるプロトコルまたは要求のタイプに基づきうる。例えば、ＨＴＴＰ要求およびＦＴＰ要求は、非動作タイマ３１４および／または休止タイマ３１６を設定するために、別の値を有しうる。さらに、ストリーミングまたは動的データを求めるＨＴＴＰ要求によって、例えば、非動作タイマ３１４および／または休止タイマ３１６のために別の値が設定される。さらに、非動作タイマ３１４および／または休止タイマ３１６のための値を設定するために、通信に利用されるアプリケーションのタイプが利用されうる。別の例では、無線デバイス３０４において利用可能なリソースが、追加のキャリアを割り当てる際に考慮されうる。また、例えば、無線デバイス３０２が、複数の要求を送信した場合に、複数の応答を送信するためにより多くのキャリアが割り当てられるように、要求の数が考慮されうる。
【００４１】
前述した例では、無線デバイス３０２と無線デバイス３０４との間の接続の複数のキャリアを介してデータがこれ以上送信も受信もされない場合、すなわち、前述した通信非動作状態である場合、非動作タイマ３１４が起動しうる。これは、一例においてトランシーバ３１０によって検出されうる。非動作タイマ３１４の終了前にデータ送信が継続している場合、すなわち、通信動作が継続している場合、タイマはリセットすることができる。繰り返すが、これは、キャリアをモニタすることによって、トランシーバ３１０において判定されうる。しかしながら、非動作タイマ３１４が、キャリアによる通信非動作によって終了すると、キャリア・デアロケータ３１８は、後のデータ要求を受信する最小数のキャリアを実現するために、接続から、多くのキャリアを割当解除する。一例において、この最小数は、データ要求を可能にする単一のキャリアでありうる。最小数のキャリアへ低減することによってさらに、逆方向リンクによる残りのキャリアの干渉を低減しうる。これは起こりうる。なぜなら、一例として、（例えば、ＥＶ−ＤＯコンテキストにおけるデータ・レート制御（ＤＲＣ）チャネルのような）パイロットおよび制御チャネルは、常時存在する訳でも、および／または、残りのキャリアのために送信している訳でもないからである。
【００４２】
したがって、データ・リクエスタ３０８によって定式化された要求が、トランシーバ３０６を介して送信され、休止タイマ３１６が終了する前にトランシーバ３１０において受信された場合、キャリア・アロケータ３１２は、前述したように、結果として得られるデータの効率的な受信および解釈を容易にするために、しきい数のキャリアを再割当しうる。一例において、この再割当は、結果として得られるデータを応答受信機３２０が受信する前に生じうる。非動作タイマ３１４と同様に、休止タイマ３１６は、割り当てられたキャリアによるおのおのの通信時にリセットされうる。しかしながら、休止タイマ３１６は、無線端末がいつ終了されるべきかを示すために、非動作タイマ３１４よりも遅い時間に設定されうる。したがって、非動作タイマ３１４が終了し、接続がキャリア・デアロケータ３１８によって最小数のキャリアまで低減された後、休止タイマ３１６が終了する前に、データ・リクエスタ３０８からの要求が、トランシーバ３１０を介して受信されないのであれば、接続は、完全に終了されうる。
【００４３】
この点に関し、２レベルのタイマによって、所与の期間後の通信リソースの低減と、さらに長い期間の後の完全な終了とが可能となる。これは、例えば、非動作タイマによって、リソースは、必要とされない場合、調節される（例えば、ＨＴＴＰによって要求を行うために、一般には、最小数のリソースしか必要とされない）ものの、完全に終了される訳ではないような要求／応答タイプの環境では有益である。要求／応答環境では、応答が受信された後、一般に、送信される次のデータは、別の要求となるであろう。応答と比べて、要求は、少ない量のリソースしか必要としないので、２つのタイマは、次の要求を取り扱う際に、接続を終了させることなく、キャリアを低減するために連携して動作する。接続が終了した後、無線デバイス３０２は、データを送信するために、接続およびキャリアを再確立する必要があるであろう。そして、これは、休止期間にわたり、最小数のキャリアを開き続けていることと比べて、より多くのオーバヘッドおよびレイテンシをもたらしうることが認識されるべきである。
【００４４】
図４乃至図６に示すように、非動作状態のためのタイマに関連するキャリアの割り当てを調節することに関連する方法論が例示される。説明を単純にする目的で、これら方法論は、一連の動作として示され説明されているが、いくつかの動作は、本明細書で図示および記載されたものとは異なる順序で、あるいは他の動作と同時に生じうるので、これらの方法論は、動作の順序によって限定されないことが理解され認識されるべきである。例えば、当業者であれば、方法論は、代わりに、例えば状態図のような相互関連する状態またはイベントのシリーズとして表されうることを理解するだろう。さらに、１または複数の実施形態にしたがって方法論を実現するために必ずしも例示された全ての動作が必要とされる訳ではない。
【００４５】
図４に移って、無線通信において、非動作期間にしたがってキャリアの割当を調節することを容易にする方法論４００が示されている。４０２において、アクセス・ポイントとの接続のために、割り当てられた複数のキャリアが受信される。これらキャリアは、アクセス・ポイントと同時に通信するために利用されうる。４０４において、キャリアによる通信非動作状態が検出されると、非動作タイマおよび休止タイマが起動されうる。説明したように、これは、例えば、トランシーバによって、データが送信されていない場合、あるいは、受信されていない場合に検出されうる。４０６において、非動作タイマの終了が判定されうる。説明したように、このタイマは、例えば、通信動作状態でリセットされるが、キャリアを介した通信動作状態が存在しない場合には再び起動しうる。４０８において、１または複数のキャリアが破棄され、割り当てられた最小数のキャリアが残る。上述したように、キャリアを破棄したとの通知が、アクセス・ポイントへも送信されうる。通信のために必要ではない場合にキャリアを破棄することによって、リソースを節約し、一般に、キャリアによって生成される干渉を最小化しうる。４１０において、通信動作状態が検出されると、追加のキャリアが要求されうる。説明したように、通信動作状態は、少なくとも部分的に、割り当てられたキャリアによってデータを受信および送信することに基づいて検出されうる。
【００４６】
図５に移り、無線通信において、非動作期間にしたがってキャリアの割当を調節することを容易にする方法論５００が示されている。５０２において、複数のキャリアが、モバイル・デバイスとの接続に対して割り当てられる。これらキャリアは、モバイル・デバイスと同時通信するために利用されうる。５０４において、通信非動作状態が検出されると、非動作タイマおよび休止タイマが起動されうる。説明したように、これは、トランシーバを介してデータが送信あるいは受信されない場合に検出される。５０６において、非動作タイマの終了が判定される。このタイマは、説明したように、通信動作状態になるとリセットされるが、例えば、キャリアを介した通信動作がない場合には、再び起動しうる。５０８において、１または複数のキャリアが割当解除され、割り当てられた最小数のキャリアが残る。説明したように、これは、リソースの節約および干渉の最小化を図りながら、接続を終了させることに対するより効率的な最初の選択肢でありうる。これがより効率的であるという１つの理由は、モバイル・デバイスが接続を再確立する必要はないが、非動作時間中に全てのリソースが割り当てられる必要なく要求を行うことができるという、より長い休止期間を可能とするということである。５１０において、モバイル・デバイスからの要求を受信すると、追加のキャリアが接続に割り当てられうる。説明したように、通信非動作期間中に、データを求める要求が受信されると、この要求に対する応答を取り扱うために、複数のキャリアが、モバイル・デバイスへ再割当されうる。ＨＴＴＰコンテキストでは、要求は、応答よりも少ないリソースで済むので、要求は、少数のキャリアによって効率的に送信されうる。
【００４７】
図６に移って、無線通信において、非動作期間中に、キャリア割当を調節するために、少なくとも２つのタイマを利用することを容易にする方法論６００が例示される。６０２において、無線接続において、複数のキャリアによる通信が生じうる。説明したように、複数のキャリアによって、データの同時転送を容易にし、もって、より高いスループットが得られる。６０４において、通信非動作状態が検出されると、非動作タイマと休止タイマが起動されうる。説明したように、これは、データがトランシーバを介して送信または受信されない場合に検出されうる。６０６では、前述したように、非動作タイマが終了すると、キャリアの数が低減されうる。これは、この方法の実施に依存して、キャリアを破棄すること、および／または、キャリアを割当解除することに関連しうる。したがって、もしもその間に追加のデータが送信または受信された場合、前述したように、非動作タイマおよび休止タイマがリセットされ、応答の取り扱い等のために、リソースが割り当てられる。しかしながら、この場合は、６０８において、休止タイマの終了が判定されうる。休止タイマは、非動作タイマよりも長い期間に設定され、より長い非動作期間で接続の終了を示しうる。したがって、６１０において、無線接続が終了する。この点に関し、更なる通信を容易にするために、接続が再確立されねばならない。
【００４８】
説明したように、本明細書に記載の１または複数の態様にしたがって、干渉は、タイマ値、これらタイマ値に関連する要求タイプ、タイマをリセットするイベント等を決定することに関する推論がなされうることが認識されるだろう。本明細書で使用されるように、「推論する」または「推論」なる用語は一般に、イベントおよび／またはデータによって取得されたような観察のセットから、システムの状態、環境、および／または、ユーザの推論あるいはそれらに関する推理のプロセスを称する。推論は、特定のコンテキストまたは動作を特定するために適用されるか、あるいは、例えば状態にわたる確率分布を生成することができる。推論は、確率論的、すなわち、興味のある状態にわたる確率分布の、データおよびイベントの考慮に基づく計算でありうる。推測はまた、イベントおよび／またはデータのセットから、より高次のイベントを構成するために適用される技術をも称する。そのような推測によって、イベントが時間的に近接して相関付けられていようといまいと、これらイベントおよびデータが１または幾つかのイベント・ソースおよびデータ・ソースに由来しようとも、観察されたイベントおよび／または格納されたイベント・データのセットから、新たなイベントまたは動作を考慮することができる。
【００４９】
図７は、無線通信ネットワークにおける非動作状態に基づいて、キャリア割当を調節することを容易にするモバイル・デバイス７００の例示である。モバイル・デバイス７００は、１または複数のキャリアを介した１または複数の信号を、例えば受信アンテナ（図示せず）から受信し、これら受信した信号について一般的な動作（例えば、フィルタ、増幅、ダウンコンバート等）を実施し、これら調整された信号をデジタル化してサンプルを取得する受信機７０２を備える。受信機７０２は、受信したシンボルを復調し、チャネル推定のために、これらをプロセッサ７０６へ提供する復調器７０４を備えうる。プロセッサ７０６は、受信機７０２によって受信された情報を分析すること、および／または、送信機７１６による送信のための情報を生成することに特化されたプロセッサでありうるか、モバイル・デバイス７００の１または複数の構成要素を制御するプロセッサでありうるか、および／または、受信機７０２によって受信された情報の分析と、送信機７１６による送信のための情報の生成と、モバイル・デバイス７００の１または複数の構成要素の制御との両方を行うプロセッサでありうる。
【００５０】
モバイル・デバイス７００はさらにメモリ７０８を備えることができる。このメモリ７０８は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５１】
本明細書に記載のデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００５２】
例として説明するように、モバイル・デバイス７００は、まず、基地局またはその他の無線サービス・アクセス・デバイスと通信する際に、複数のキャリアを割り当てられる。プロセッサ７０６はさらに、割り当てられたキャリアのうちの１または複数を破棄することができるキャリア・ドロッパ７１０と、例えば、無線アクセス・サービス・デバイスからの追加のキャリアを要求するために利用されうるキャリア・リクエスタ７１２と、動作可能に接続されうる。プロセッサ７０６またはキャリア・ドロッパ７１０はさらに、通信非動作期間を検出すると起動する非動作タイマ７１４と休止タイマ７１６とに動作可能に接続される。非動作タイマ７１４が終了すると、キャリア・ドロッパ７１０は、１または複数のキャリアを破棄し、非動作状態に続く最初の通信のための最小数のキャリアを残す。同様に、休止タイマ７１６が終了すると、無線サービス・アクセス・デバイスとの接続を終了させる。
【００５３】
キャリアを破棄した後、休止タイマ７１６が終了する前に、通信動作状態が継続している場合、キャリア・リクエスタ７１２は、要求に対する応答を効率的に受信するために、１または複数の追加のキャリアを要求しうる。一例において、キャリア・リクエスタ７１２は、通信における次の利用のために、キャリアを受信することができる。この点に関し説明するように、接続終了前の非動作期間を可能にすることによって、非動作期間中に接続の再確立を必要としない際におけるリソースを節約する。さらに、最小数のキャリアへのキャリア破棄を可能にすることによって、全てのキャリアをオープンにしたままにすることとは反対に、非動作期間のリソースが節約される。また、この点に関して、干渉も低減される。モバイル・デバイス７００はさらに、信号を変調する変調器７１４と、例えば基地局、他のモバイル・デバイス等へ信号を送信する送信機７１６とを備える。プロセッサ７０６と別に示されているが、キャリア・ドロッパ７１０、キャリア・リクエスタ７１２、非動作タイマ７１４、休止タイマ７１６、復調器７０４、および／または変調器７１４は、プロセッサ７０６または複数のプロセッサ（図示せず）の一部でありうることが認識されるべきである。
【００５４】
図８は、無線通信ネットワークにおいて、非動作状態に基づいてキャリアをモバイル・デバイスへ割り当てることを容易にするシステム８００の例示である。システム８００は、複数の受信アンテナ８０６を介して１または複数のモバイル・デバイス８０４から信号を受信する受信機８１０と、送信アンテナ８０８を介して１または複数のモバイル・デバイス８０４へ信号を送信する送信機８２８とを備える基地局８０２（例えば、アクセス・ポイント）を備える。受信機８１０は、受信アンテナ８０６から情報を受信する。また、受信した情報を復調する復調器８１２と動作可能に関連付けられている。復調されたシンボルは、図７に関して上述したプロセッサに類似したプロセッサ８１４によって分析されうる。プロセッサ８１４は、信号（例えば、パイロット）強度および／または干渉強度、モバイル・デバイス８０４（または（図示しない）別の基地局）へ送信されるデータまたはモバイル・デバイス８０４（または（図示しない）別の基地局）から受信するデータ、および／または、本明細書に記載されたさまざまな動作および機能を実行することに関連するその他任意の適切な情報、を推定することに関連する情報を格納するメモリ８１６に接続されている。プロセッサ８１４はさらに、必要な場合に追加のキャリアをモバイル・デバイス８０４へ割り当てるキャリア・アロケータ８１８と、モバイル・デバイス８０４から１または複数のキャリアを割当解除するキャリア・デアロケータ８２０と、非動作期間を検出するために利用されうる非動作タイマ８２２と、休止期間を検出するために利用されうる休止タイマ８２４とに接続される。
【００５５】
例によれば、キャリア・アロケータ８１８は、モバイル・デバイスとの接続を確立すると、モバイル・デバイスへ複数のキャリアを割り当てうる。説明されるように、通信非動作が検出され、非動作タイマ８２２および休止タイマ８２４が起動されうる。タイマ８２２、８２４は、通信動作が検出されるとリセットされうる。しかしながら、モバイル・デバイス８０４との通信が再び動作状態になる前に非動作タイマ８２２が終了した場合、キャリア・デアロケータ８２０は、１または複数のキャリアを割当解除し、接続を、データ要求を受信するための最小レベルにする。そのような要求が、休止タイマ８２４が終了する前に受信された場合、キャリア・デアロケータ８１８は、この要求に対する応答を受信するために、モバイル・デバイス８０４に対して１または複数のキャリアを割当解除する。その後、休止タイマ８２４が終了すると、基地局８０２は、モバイル・デバイス８０４との接続を終了しうる。その後、モバイル・デバイス８０４が、基地局１０２からのデータを要求すると、応答を受信するために、接続が再確立される必要がある。さらに、プロセッサ８１４とは別に示されているが、キャリア・アロケータ８１８、キャリア・デアロケータ８２０、非動作タイマ８２２、休止タイマ８２４、復調器８１２、および／または変調器８２６は、プロセッサ８１４あるいは複数のプロセッサ（図示せず）のうちの一部でありうることが認識されるべきである。
【００５６】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。さらに、基地局９１０および／またはモバイル・デバイス９５０は、その間の無線通信を容易にするために、本明細書に記述されたシステム（図１乃至図３、図７および図８）、および／または方法（図４乃至図６）を適用しうることが認識されるべきである。
【００５７】
基地局９１０では、多くのデータ・ストリームのためのトラフィック・データが、データ・ソース９１２から送信（ＴＸ）データ・プロセッサ９１４へ提供される。一例によれば、おのおののデータ・ストリームは、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００５８】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームに関する多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、コーディング、および変調は、プロセッサ９３０によって実行または提供される命令によって決定されうる。
【００５９】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ１０２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６０】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６１】
モバイル・デバイス９５０では、送信された変調信号がＮＲ個のアンテナ９５２ａ乃至９５２ｒによって受信され、おのおののアンテナ９５２からの受信信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６２】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６３】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００６４】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１０３６から受け取るＴＸデータ・プロセッサ１０３８によって処理され、変調器９８０によって変調され、送信機９５４ａ乃至９５４ｒによって調整され、基地局９１０へ送り戻される。
【００６５】
基地局９１０では、アクセス端末９５０からの変調信号が、アンテナ９２４によって受信され、受信機９２２によって調整され、復調器９４０によって復調され、ＲＸデータ・プロセッサ９４２によって処理されて、アクセス端末９５０によって送信された逆方向リンク・メッセージを抽出する。さらに、プロセッサ９３０は、ビームフォーミング重みを決定するためにどの事前符合化行列を使用するかを決定するために、この抽出されたメッセージを処理する。
【００６６】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００６７】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロコントローラ、マイクロプロセッサ、本明細書に記載の機能を実行するために設計されたその他の電子ユニット、あるいはこれらの組み合わせ内に実装されうる。
【００６８】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００６９】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７０】
図１０に関し、無線ネットワークにおいて、非動作期間にしたがってキャリアの割当を調節するシステム１０００が例示されている。例えば、システム１０００は、基地局、モバイル・デバイス等の内部に少なくとも部分的に存在することができる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、複数のキャリアを、モバイル・デバイスとの接続へ割り当て、モバイル・デバイスとの通信を容易にする手段１００４を含みうる。例えば、モバイル・デバイスは、要求／応答設定において、複数のキャリアを介して、要求の送信および応答の受信を行いうる。さらに、論理グループ１００２は、少なくとも部分的に、非動作タイマの終了に基づいて、複数のキャリアの一部を割当解除して、最小数のキャリアにする手段１００６を備えうる。一例において、説明するように、非動作タイマは、通信非動作期間が検出されると起動され、通信を受信するとリセットされうる。しかしながら、非動作タイマが、リセットされる前に終了する場合、要求を受信するためにキャリアをオープンにしたまま干渉を低減するため、および、
リソースを節約するために、キャリアが割当解除されうる。説明したように、終了すると、モバイル・デバイスとの接続を終了させる休止タイマも存在する。さらに、システム１０００は、電子構成要素１００４および電子構成要素１００６に関連付けられた機能を実行するための命令群を保持するメモリ１００８を含みうる。メモリ１００８の外側にあると示されているが、電子構成要素１００４および電子構成要素１００６のうちの１または複数は、メモリ１００８内に存在しうることが理解されるべきである。
【００７１】
図１１に移って、無線通信における非動作期間にしたがってキャリアを追加したり、破棄したりするシステム１１００が例示される。システム１１００は、基地局、モバイル・デバイス等の内部に少なくとも部分的に存在することができる。図示するように、システム１１００は、プロセッサ、ソフトウェア、またはこれらの組み合わせ（例えば、ファームウェア）によって実現される機能を表す機能ブロックを含む。システム１１００は、キャリアを追加したり破棄したりすることを容易にする手段の論理グループ１１０２を含む。論理グループ１１０２は、アクセス・ポイントとの接続のために割り当てられた複数のキャリアを受信して、アクセス・ポイントとの通信を容易にする手段１１０４を含みうる。説明するように、割り当てられたキャリアは、アクセス・ポイントへデータを要求し、アクセス・ポイントから応答を受信するために利用されうる。さらに、論理グループ１１０２は、少なくとも部分的に、非動作タイマの終了に基づいて、複数のキャリアの一部を割当解除して、最小数のキャリアにする手段１１０６を含みうる。説明するように、非動作タイマを利用することによって、接続を完全に終了させないために最小数のキャリアを維持しながら、必要ではない場合にキャリアを破棄することによって、干渉を低減し、リソースを節約することを容易にしうる。接続は、例えば、別の休止タイマに基づいて終了しうる。さらに、システム１１００は、電子構成要素１１０４および電子構成要素１１０６に関連付けられた機能を実行するための命令群を保持するメモリ１１０８を含みうる。メモリ１１０８の外側にあるとして示されているが、電子構成要素１１０４、１１０６は、メモリ１１０８内に存在しうることが理解されるべきである。
【００７２】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神および範囲内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈されるように、用語「備える」と同様に包括的であることが意図される。さらに、説明された態様および／または実施の構成要素は、単数形で記載または特許請求されているが、もしも単数であると明示的に述べられていないのであれば、複数が考慮される。さらに、任意の態様および／または実施形態の全てまたは一部は、特に述べられていないのであれば、その他任意の態様および／または実施形態の全てまたは一部とともに利用されうる。
【００７３】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００７４】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリートな構成要素として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００７５】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。限定ではない一例によって、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスクを含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【図１】
2010541502.tif 000003
【図２】
2010541502.tif 000004
【図３】
2010541502.tif 000005
【図４】
2010541502.tif 000006
【図５】
2010541502.tif 000007
【図６】
2010541502.tif 000008
【図７】
2010541502.tif 000009
【図８】
2010541502.tif 000010
【図９】
2010541502.tif 000011
【図１０】
2010541502.tif 000012
【図１１】
2010541502.tif 000013
【国際調査報告】
2010541502.tif 000014
2010541502.tif 000015